(57)【要約】【課題】逐次変動する情報を更新して常に最新の広告情報を提供することができる広告情報提供システムを提供することを目的とする。【解決手段】広告依頼主１，２，３・・・・から広告情報に関するデータを受け取る広告情報受付手段１１と、前記受け取った広告情報に関するデータを記録する広告情報記録手段１２と、前記広告情報の開示序列を、前記広告情報に付与する広告序列付与手段１３と、前記広告序列付与手段１３によって付与された開示序列にしたがって、前記広告情報を、情報端末によって閲覧可能に通信ネットワーク上に開示する広告開示手段１４と、を備え、前記広告依頼主１，２，３・・・・から提供される広告情報に関するデータに応じて、前記通信ネットワーク上に開示するデータを逐次更新して、最新の情報が通信ネットワーク上に開示されるようにしたことを特徴とする。【選択図】図１
2007114832.tif 000002
【特許請求の範囲】
【請求項１】
広告依頼主から開示を依頼される広告情報を情報端末によって閲覧可能に通信ネットワーク上に開示する広告情報提供システムであって、
前記広告依頼主から広告情報に関するデータを受け取る広告情報受付手段と、
前記受け取った広告情報に関するデータを記録する広告情報記録手段と、
前記広告情報の開示序列を、前記広告情報に付与する広告序列付与手段と、
前記広告序列付与手段によって付与された開示序列にしたがって、前記広告情報を、情報端末によって閲覧可能に通信ネットワーク上に開示する広告開示手段と、
を備え、
前記広告依頼主から提供される広告情報に関するデータに応じて、前記通信ネットワーク上に開示するデータを逐次更新して、最新の情報が通信ネットワーク上に開示されるようにしたことを特徴とする広告情報提供システム。
【請求項２】
前記広告序列付与手段は、広告情報の開示序列を、前記広告依頼主から前記広告情報に関するデータを受け取った時系列的順序および予め定められた順序を考慮して決定することを特徴とする請求項１に記載の広告情報提供システム。
【請求項３】
前記情報端末が携帯電話端末であり、前記広告情報に関するデータが音声、画像、文字、プログラム、ならびにコンピュータおよび自動機器を駆動するためのデータの少なくとも１種を含むことを特徴とする請求項１または請求項２に記載の広告情報提供システム。
【請求項４】
前記広告情報に関するデータが、空車のタクシー、ホテルまたはカラオケ店等の利用に際して予約を必要とする施設の空室数、および商品の出荷可能在庫数から選ばれる少なくとも１種の情報を含むデータであることを特徴とする請求項１〜請求項３のいずれか１項に記載の広告情報提供システム。
【請求項５】
通信ネットワークを介して、広告依頼主から依頼された広告情報を情報端末によって閲覧可能に開示する広告情報提供方法であって、
前記広告依頼主から広告情報に関するデータを受け取る段階（Ａ）と、
前記受け取った広告情報に関するデータを記録する段階（Ｂ）と、
前記広告情報の開示序列を、前記広告情報に付与する段階（Ｃ）と、
前記広告序列付与手段によって付与された開示序列にしたがって、前記広告情報を、情報端末によって閲覧可能に通信ネットワーク上に開示する段階（Ｄ）と、
を含み、
前記広告依頼主から提供される広告情報に関するデータに応じて、前記通信ネットワーク上に開示するデータを逐次更新して、最新の情報が通信ネットワーク上に開示されるようにすることを特徴とする広告情報提供方法。
【請求項６】
請求項５に記載の広告情報提供方法を、コンピュータに実行させるプログラムを記録したコンピュータ読み取り可能な記録媒体。
【発明の詳細な説明】
【技術分野】
【０００１】
本発明は、広告情報提供システムおよび広告情報提供方法に関し、特に、逐次変動する情報を更新して常に最新の広告情報を提供することができる広告情報提供システムおよび広告情報提供方法に関する。
【背景技術】
【０００２】
近年、Ｗｅｂ上に各種の情報を掲載した情報サイトが開設され、携帯端末等の情報端末を操作することによって、この情報サイトから必要な情報を入手することが可能となっている。例えば、飲食店の情報検索サイトでは、キーワード、希望条件（地域、住所、料理の種別、必要席数等）の入力、選択などの所定の検索手順に従って情報端末を操作して、希望に合致する飲食店を検索し、所望の飲食店に関する情報を簡便に入手することが可能となっている（非特許文献１参照）。また、特許文献１には、インターネット上の広告募集、価格決定、契約締結、配信までの一連の業務を自動的に行うシステムが開示されている。
【０００３】
こうした情報サイトでは、検索した店舗名、店舗の所在地、電話連絡先、店舗内部の写真などが、情報端末の画面に表示される。しかし、空き席数、提供料理（お奨め料理）、時間帯サービス等の時々刻々変化する事項についての情報は開示されていないため、所望の店舗にヒットしても、状況が変動しているため、結局、ヒットした店舗を利用できないことがある。例えば、検索にヒットして選択した店舗に到着したときには満席となっており、そのため、次々と店舗を探す羽目に陥ったり、店舗に到着したときには、既に、希望の料理やサービスの提供が終了していたり、することがある。また、こうした事態は、店舗にとっても、広告を閲覧して来店希望を持った客を失うことになり、顧客の確保、席の稼働率等の観点から大きな損失となる。さらに、店舗に席を予約する場合にも、最新の情報を簡便かつ迅速に知ることができず、検索にヒットした中から選択した店舗に電話連絡して、空き席数等を確認しなければならない。また、電話連絡した時点では、既に席が埋まっていた場合には、検索にヒットした他の店舗に電話連絡したり、新たに、他の店舗を検索しなければならない羽目に陥る、などの不便を招くことがあった。特に、こうした事態は、１日の内でも飲食店に客が集中する時間帯または曜日、あるいは新年会、忘年会、歓送迎会等の宴会が多くなる季節に、二次会、三次会等の会場を探す場合に顕著に発生し、宴会幹事を悩ませることになる。
【０００４】
このような不便を解消するために、空き席数等の逐次変動する情報を、席が空いた直後に即時にＷｅｂ上に開示して、利用者が随時知ることができるようにすれば、利用者の利便性の向上を図ることができ、有用な情報源となる。一方、店舗にとっても、広告を掲載することによる宣伝効果だけでなく、空き席への客の迅速な誘導による客数の増加、客席の稼働率の向上、時間経過と共に陳腐化する商品の早期販売を図ることができるなどの、多くの利点がある。
【０００５】
しかし、従来の情報サイトでは、店舗案内、連絡先、キャッチフレーズ等の比較的更新を必要としない情報が表示されるのみで、逐次変動する空き席数等の情報は表示されなかった。まして、従来の情報サイトでは、時々刻々変わる情報を逐次更新して、利用者の利便に供するとともに、店舗側から有用な情報を、逐次、利用者に提供して、客の獲得および囲い込み、席の稼働率の向上を図ることは行われていなかった。
【特許文献１】特開２００２−１８３５９１号公報
【非特許文献１】グルメ情報検索サイトぐるなび（ＵＲＬ；ｈｔｔｐ：／／ｒａｋｕｒａｋｕ．ｇｎａｖｉ．ｃｏ．ｊｐ／）平成１７年８月５日閲覧
【発明の開示】
【発明が解決しようとする課題】
【０００６】
そこで、本発明では、前記した問題を解決し、逐次変動する情報を更新して常に最新の広告情報を提供することができる広告情報提供システムおよび広告情報提供方法を提供することを目的とする。
【課題を解決するための手段】
【０００７】
前記課題を解決するため、請求項１に係る本発明の広告情報提供システムは、広告依頼主から開示を依頼される広告情報を情報端末によって閲覧可能に通信ネットワーク上に開示する広告情報提供システムであって、前記広告依頼主から広告情報に関するデータを受け取る広告情報受付手段と、前記受け取った広告情報に関するデータを記録する広告情報記録手段と、前記広告情報の開示序列を、前記広告情報に付与する広告序列付与手段と、前記広告序列付与手段によって付与された開示序列にしたがって、前記広告情報を、情報端末によって閲覧可能に通信ネットワーク上に開示する広告開示手段と、を備え、前記広告依頼主から提供される広告情報に関するデータに応じて、前記通信ネットワーク上に開示するデータを逐次更新して、最新の情報が通信ネットワーク上に開示されるようにしたことを特徴とする。
【０００８】
本発明において、情報端末とは、インターネット、特定地域内に設置されるイントラネット、公衆電話回線、専用回線等の通信ネットワークに有線または無線の通信回線を介して接続して、その通信ネットワーク上に開設されている情報サイトにアクセスして、その情報サイトに開示されている各種の情報を検索したり、その情報サイトの情報を閲覧できる、全ての情報機器端末を言う。例えば、デスクトップ型またはノート型のパーソナルコンピュータ（以下、「ＰＣ」と略す）、携帯電話端末、ＰＨＳ端末、ＰＤＡ（Ｐｅｒｓｏｎａｌ Ｄｉｇｉｔａｌ Ａｓｓｉｓｔａｎｃｅ）、双方向通信可能なＣＡＴＶ端末、地上波デジタルテレビジョン端末、ＦＡＸ機、ＰＯＳ端末、レジスター、画像計測機能があるビデオカメラシステム（これは、撮影画像から人数を把握できるプログラムなどが搭載される可能性があるため。）等の情報機器端末を言う。
【０００９】
この広告情報提供システムでは、広告依頼主から受け取る広告情報に関するデータに応じて、逐次変動する情報を更新して、通信ネットワーク上に、常に、最新の広告情報を情報端末によって閲覧可能に開示して、広告情報の利用者の利便性の向上を図るとともに、広告依頼主から、逐次、有用な情報を利用者に提供して、客の獲得および囲い込み、席の稼働率の向上を図ることが可能となる。
【００１０】
また、請求項２に係る発明は、請求項１に係る広告情報提供システムにおいて、前記広告序列付与手段は、広告情報の開示序列を、前記広告依頼主から前記広告情報に関するデータを受け取った時系列的順序および予め定められた順序を考慮して決定することを特徴とする。
【００１１】
この広告情報提供システムでは、前記広告序列付与手段が、前記広告依頼主から前記広告情報に関するデータを受け取った時系列的順序および予め定められた順序を考慮して広告情報の開示序列を決定することによって、最新の広告情報、または広告依頼主が広告情報として開示したい情報に応じて、更新された広告情報を適切な序列で開示することができる。
【００１２】
また、請求項３に係る発明は、請求項１または請求項２に記載の広告情報提供システムにおいて、前記情報端末が携帯電話端末であり、前記広告情報に関するデータが音声、画像、文字、プログラム、ならびにコンピュータおよび自動機器を駆動するためのデータの少なくとも１種を含むことを特徴とする。
【００１３】
この広告情報提供システムでは、利用者が携帯電話端末を操作して、音声、画像、文字、プログラム、ならびにコンピュータおよび自動機器を駆動するためのデータの少なくとも１種を含む広告情報に関するデータを受信して、そのデータに応じて携帯電話端末の表示画面に表示される広告情報を閲覧することが可能となる。
【００１４】
また、請求項４に係る発明は、請求項１〜請求項３のいずれか１項に記載の広告情報提供システムにおいて、前記広告情報に関するデータが、飲食店の空き席数、空車のタクシー、ホテルまたはカラオケ店等の利用に際して予約を必要とする施設の空室数、および商品の出荷可能在庫数から選ばれる少なくとも１種の情報を含むデータであることを特徴とする。
【００１５】
この広告情報提供システムでは、飲食店の空き席数、空車のタクシー、ホテルまたはカラオケ店等の利用に際して予約を必要とする施設の空室数、および商品の出荷可能在庫数から選ばれる少なくとも１種の情報を含む広告情報に関するデータが逐次更新されて、常に最新の情報が、情報端末の表示画面によって閲覧可能となる。
【００１６】
また、請求項５に係る発明の広告情報提供方法は、広告依頼主から開示を依頼された広告情報を情報端末によって閲覧可能に通信ネットワーク上に開示する広告情報提供方法であって、前記広告依頼主から広告情報に関するデータを受け取る段階（Ａ）と、前記受け取った広告情報に関するデータを記録する段階（Ｂ）と、前記広告情報の開示序列を、前記広告情報に付与する段階（Ｃ）と、前記広告序列付与手段によって付与された開示序列にしたがって、前記広告情報を、情報端末によって閲覧可能に通信ネットワーク上に開示する段階（Ｄ）と、を含み、前記広告依頼主から提供される広告情報に関するデータに応じて、前記通信ネットワーク上に開示するデータを逐次更新して、最新の情報が通信ネットワーク上に開示されるようにすることを特徴とする。
【００１７】
この広告情報提供方法では、広告依頼主から受け取る広告情報に関するデータに応じて、逐次変動する情報を更新して、通信ネットワーク上に、常に、最新の広告情報を情報端末によって閲覧可能に開示して、広告情報の利用者の利便性の向上を図るとともに、広告依頼主から、逐次、有用な情報を利用者に提供して、客の獲得および囲い込み、席の稼働率の向上、および時間経過と共に陳腐化する商品の早期販売を図ることが可能となる。
【００１８】
さらに、請求項６に係る発明は、請求項５に記載の広告情報提供方法を、コンピュータに実行させるプログラムを記録したコンピュータ読み取り可能な記録媒体である。
【００１９】
この記録媒体は、前記広告情報提供方法をコンピュータに実行させるプログラムをコンピュータが読み取って、前記広告情報提供システムを実現することができる。
【発明の効果】
【００２０】
本発明の広告情報提供システムおよび広告情報提供方法は、広告依頼主から受け取る広告情報に関するデータに応じて、逐次変動する情報を更新して、通信ネットワーク上に、常に、最新の広告情報を情報端末によって閲覧可能に開示して、利用者の利便性の向上を図るとともに、広告依頼主から、逐次、有用な情報を利用者に提供して、客の獲得および囲い込み、席の稼働率の向上、および時間経過と共に陳腐化する商品の早期販売を図ることができる。
【発明を実施するための最良の形態】
【００２１】
次に、本発明の実施形態について、適宜図面を参照しながら詳細に説明する。
図１は本発明の広告情報提供システムの概念図である。
【００２２】
図１に示す広告情報提供システム１は、広告情報受付手段１１と、広告情報記録手段１２と、広告序列付与手段１３と、広告開示手段１４とを備える。
【００２３】
広告情報受付手段１１は、インターネット（通信ネットワーク）に開設されたＷｅｂサイト（情報サイト）を介して、広告依頼主１，２，３，・・・・から発信される広告情報に関するデータを受け取る役割を有するものである。
この広告情報受付手段１１が受け取る広告情報に関するデータは、広告依頼主の識別ＩＤを含むとともに、音声、画像、文字、プログラム、ならびにコンピュータおよび自動機器を駆動するためのデータの少なくとも１種を含むデータである。この広告情報に関するデータは、広告依頼主１，２，３，・・・・が、携帯電話、パーソナルコンピュータ等の情報端末を操作することによって、インターネットを介して、広告情報受付手段１１に受信される。例えば、広告依頼主１，２，３，・・・・が飲食店である場合には、その飲食店の空き席数、お勧め商品および店舗紹介、道順案内から選ばれる少なくとも１種の情報が、インターネットを介して、広告情報受付手段１１に入力される。ここで、音声、画像、文字、プログラム、ならびにコンピュータおよび自動機器を駆動するためのデータとは、例えば、音楽、店員のセールストーク、店舗の画像、商品の画像、商品の説明文、店舗の説明文、着信メロディーデータ、着うたデータ等である。このデータによって、インターネット上に開設されたＷｅｂサイト（情報サイト）に、広告依頼主１，２，３，・・・・が望む形態で開示されるように、広告開示手段１４によって開示される広告情報の開示内容、開示方法等が、選択される。
【００２４】
この広告情報受付手段１１は、インターネットを介して広告依頼主１，２，３，・・・・から送信される広告情報に関するデータに付加されている広告依頼主のＩＤ情報に基づき、データ記憶手段１５に記録されている広告依頼主１，２，３，・・・・に関する登録情報を参照して、広告情報に関するデータを発信した広告依頼主を識別する。そして、広告依頼主の識別情報は、広告情報に関するデータの受付時間、広告依頼主の識別情報、依頼内容等の広告の開示序列を決定するために必要な情報とともに、広告情報記録手段１２に出力される。
【００２５】
広告情報記録手段１２は、広告依頼主１，２，３，・・・・から広告情報受付手段１１が受け取った広告情報に関するデータを記録する役割を有するものである。
この広告情報記録手段１２は、データ記憶手段１５に、必要なデータを出力して記録するとともに、広告序列付与手段１３に広告情報に関するデータの受付時間、広告依頼主の識別情報、依頼内容、広告情報に関するデータの優先順位等の広告の開示序列を決定するために必要な情報を出力する。例えば、広告依頼主１，２，３，・・・・が飲食店である場合には、その飲食店の空き席数、店舗の種類、現在地から店舗までの距離、お勧めの商品、商品価格、等の情報が、広告情報の開示序列を決定するために必要な情報として広告序列付与手段１３に出力される。また、広告依頼主１，２，３，・・・・が付加情報を別途結んだ広告主である場合には、付加情報が広告序列付与出段１３に出力される。また、広告依頼主１，２，３，・・・・が定時配信の契約を別途結んだ広告主である場合には、広告内容が定時に広告序列付与出段１３に出力される。
【００２６】
この広告情報記録手段１２から、データ記憶手段１５に出力され、データ記憶手段１５に記録される情報は、例えば、広告情報に関するデータの受付日時、広告依頼主の識別情報、依頼内容、課金情報等に関するデータである。このデータ記憶手段１５に記録されたデータを、広告依頼主への報告、広告依頼主に広告掲載料を課金する際のデータとすることができる。また、広告情報記録手段１２は、情報端末１，２，３，・・・・によって通信ネットワーク上に開示した広告情報を閲覧した利用者に関する情報、例えば、情報端末１，２，３，・・・・の識別情報（携帯電話番号、メールアドレス等）、その情報端末１，２，３，・・・・を利用した利用者による広告情報の利用傾向（検索した情報の種別、内容、時刻、キーワード）等を、データ記憶手段１５に記録することもできる。これによって、広告情報の開示方法、開示内容、情報閲覧の順番、情報閲覧の時間帯、地域別の利用状況等に応じた広告情報の利用状況に関するデータを収集したり、また、利用者の利用傾向に合致した広告情報を情報端末に優先的に配信するためのデータに利用することが可能となる。
【００２７】
広告序列付与手段１３は、広告情報記録手段１２から入力される情報に基づいて、広告情報の開示序列を、広告情報に付与する役割を有するものである。この広告序列付与手段１３は、広告依頼主１，２，３，・・・・から広告情報に関するデータを広告情報受付手段１１が受け取った時系列的順序および予め定められた順序を考慮して広告情報の開示序列を決定する。これによって、最新の広告情報、または広告依頼主が希望する序列に応じて、更新された広告情報を適切な序列で開示することが可能となる。例えば、広告情報受付手段１１における広告依頼主からの広告情報に関するデータの受付時刻が時系列的に最新の広告情報となる順序となるように、広告開示手段１４によって通信ネットワーク上に開設されたＷｅｂページに掲載する広告情報の開示序列を決定する。
【００２８】
ここで、開示序列とは、Ｗｅｂページにおける広告情報の配置順において、時系列的順序または予め定められた順序に最新の広告情報が配置されるようにするために、各広告情報に付与される順位である。例えば、Ｗｅｂページの上段から下段に向けて、更新された時刻に応じて広告情報を配列し、最新の情報を含む広告情報が常に最上段に開示されるように序列を付与する等の方法によって、常に更新された広告情報が明確に視認できるようにするために、各広告情報の受付時間等に応じて、決定される。具体例を挙げると、ある時点で、図２（ａ）に示すように、飲み処○○→パブレストラン◇◇→焼肉△△苑→ダイニングバー××→○○飯店の順で、上段から下段に各広告依頼主（飲み処○○、パブレストラン◇◇、焼肉△△苑、ダイニングバー××、○○飯店）の広告情報が配置されていたときに、広告情報受付手段１１が、新たに広告依頼主（ダイニングバー××）から空き席に関するデータを受け付けた場合には、広告序列付与手段１３は、広告情報の開示序列を更新して、図２（ｂ）に示すように、ダイニングバー××→飲み処○○→パブレストラン◇◇→焼肉△△苑→○○飯店の順で、広告情報依頼主（ダイニングバー××）の広告情報に関する欄が最上段に配置されるように、開示序列を更新する。これによって、Ｗｅｂページを閲覧する利用者は、常に、最新の広告情報を分かり易い形態で閲覧することができる。
【００２９】
また、この広告序列付与手段１３によって広告情報に付与される開示序列は、広告情報受付手段１１による広告情報に関するデータの受付時刻の時系列順序に限らず、他の予め決められた優先順位にしたがって付与することもできる。例えば、広告依頼主から受け付けた広告情報に関するデータにおいて、更新された情報の内容または種別に応じて、開示序列を決定することもできる。例えば、空き席数、タイムセールス等の順位で、開示序列を付与する情報の優先順位を予め決定しておき、広告情報受付手段１１が受け取った広告情報に関するデータの内容に応じて、開示序列を決定することもできる。
【００３０】
広告開示手段１４は、前記広告序列付与手段１３によって付与された開示序列にしたがって、前記広告情報を、情報端末によって閲覧可能にインターネット（通信ネットワーク）上に開設されたＷｅｂページに開示する役割を有するものである。
【００３１】
この広告開示手段１４によって開示される情報は、利用者が情報端末を操作してインターネット上に開設されたＷｅｂページにアクセスしたとき、情報端末の情報表示部部に表示される。例えば、図３に示す携帯電話端末３１の表示画面３２に利用者が望む広告情報が表示される。この携帯電話端末の表示画面に表示される広告情報は、前記の図２（ａ）および図２（ｂ）に示すように、更新される。この広告情報は、広告情報受付手段１１が広告依頼主から広告情報に関するデータを受け取り、広告序列付与手段１３が広告情報の開示序列を更新する毎に、逐次、更新される。これによって、Ｗｅｂページにアクセスする利用者は、携帯電話端末３１の表示画面３２で、常に最新の広告情報を閲覧することができる。
【００３２】
ここで、携帯電話端末３１の表示画面３２に表示されるＷｅｂページにおいては、利用者の操作・選択によって、利用者が望む広告情報にアクセスできるように構成される。例えば、利用者が、キーワード、地域、地番等を入力するか、あるいは表示画面３２に表示される地図、文字、記号、プルダウンメニュー、ラジオボタン等をカーソルで指示して所望の検索条件を入力するか、携帯電話端末等で入手した現在地のＧＰＳ位置情報を送信することによって、希望に合致した広告情報が表示され、利用者は所望の広告情報を閲覧することができるように、携帯電話端末３１の表示画面３２上に表示される検索画面が設けられる。これによって、利用者は、携帯電話端末３１を操作して、迅速かつ容易に、常に所望の広告情報を得ることができる。このとき、広告開示手段１４は、携帯電話端末３１のＧＰＳ機能により、利用者の現在地を中心とした地図を表示画面３２に表示し、この表示された地図上に、広告情報を表示し、利用者が所望の広告情報に素早くアクセスできるようにすることも可能である。この場合、携帯電話端末３１が備えるＧＰＳ機能における位置情報通知機能を利用して、携帯電話端末３１から、その携帯電話端末３１の現在の所在地に関する位置情報が、前記検索条件に関するデータとともに、広告開示手段１４に送信される。これによって、広告開示手段１４は、携帯電話端末３１の所在地、すなわち、利用者の所在地を認識し、その所在地に適応した広告情報を携帯電話端末３１に送信することができる。例えば、ＧＰＳ機能における位置情報通知機能によって、携帯電話端末３１の所在地が新宿であることが認識された場合には、広告開示手段１４は、新宿周辺の地図を送信して、その地図上に検索条件を入力するメニューを表示するとともに、利用者の検索条件の入力にしたがって、利用者の所在地（新宿）周辺に関する広告情報を表示するようにして、利用者による検索を補助することができる。
【００３３】
この広告開示手段１４は、利用者が携帯電話端末３１を操作することによって入力した情報（検索条件）をインターネットを介して受信し、その情報に合致した広告情報を、その時点での開示序列にしたがって、インターネットを介して携帯電話端末３１に送信する。これによって、検索条件を入力した利用者の携帯電話端末３１の表示画面３２に、利用者の希望に合致した広告情報が表示される。
【００３４】
また、広告開示手段１４は、送信する広告情報に伴って、さらに他の情報を付加して送信することもできる。例えば、関連商品、広告主までの交通手段、現地の天候等の情報を付加して送信することができる。これによって、関連商品、サービスの提供をすることもできる。
【００３５】
また、データ記憶手段１５は、広告情報記録手段１２、広告序列付与手段１３および広告開示手段１４から出力される各種の情報を記録し、また、記録した情報のうちの所要の情報を、広告受付手段１１、広告序列付与手段１３および広告開示手段１４に出力する役割を有するものである。例えば、このデータ記憶手段１５は、図４に示すように、広告依頼主に関する登録情報を記録するマスターテーブルを備え、登録依頼主１，２，３，・・・・に関する登録情報を記録する。
【００３６】
広告依頼主１，２，３，・・・・に関する登録情報は、予め、広告情報の掲載を希望する広告依頼主からの登録の申し込みを受けてデータ記憶手段１５に記録されるか、または、広告依頼主からの最初の広告情報に関するデータの送信時に、Ｗｅｂページ上に設けられた申し込み画面に所定の情報を入力することによっても行うことができる。この広告依頼主１，２，３，・・・・の登録の申し込みは、ＦＡＸ、携帯電話、ＰＣ等による電子メール、Ｗｅｂ上に設けられた登録画面に、登録希望者（広告依頼主）が、住所（店舗の所在地）、店舗名、最寄り駅、電話番号、メールアドレス、広告文、写真、音声等の必要事項を入力して送信する等の方法によって、行うことができる。また、予め、登録用紙に必要事項を記載して、郵送する等の方法によって行うこともできる。ＰＣ等による電子メール、Ｗｅｂ上に設けられた登録画面に所定事項を記載して登録する場合には、広告情報受付手段１１によって、これらの登録に関する情報を受け付け、データ記憶手段１５に設けられたマスターテーブルに記録される。例えば、図４（ａ）に示すマスターテーブル４１は、住所（店舗の所在地）、店舗名、最寄り駅、電話番号、メールアドレス等をそれぞれに分けて設けられた記載欄に記録する。このマスターテーブル４１の各記載欄に記録された情報は、広告、課金、宣伝等に利用される。
【００３７】
また、データ記憶手段１５は、広告依頼主からの広告情報に関するデータの受信によって広告開示手段１４によって、広告情報を更新した時刻、更新内容（空き席数、コピー）、更新回数、課金情報、課金条件等を、図４（ｂ）に示す広告マスターテーブル４２に記録する。これによって、広告依頼主への報告、広告依頼主に広告掲載料を課金する際のデータとすることができる。また、データ記憶手段１５は、広告情報記録手段１２は、情報端末１，２，３，・・・・によって通信ネットワーク上に開示した広告情報を閲覧した利用者に関する情報、例えば、情報端末１，２，３，・・・・の識別情報（携帯電話番号、メールアドレス等）、その情報端末１，２，３，・・・・を利用した利用者による広告情報の利用傾向（検索した情報の種別、内容、時刻、地域、端末の種類）等を記録することもできる。これによって、広告情報の開示方法、開示内容、入力したキーワード等に応じた広告情報の利用状況に関するデータを収集したり、また、利用者の利用傾向に合致した広告情報を情報端末に優先的に配信するためのデータに利用することが可能となる。
【００３８】
次に、この広告情報提供システム１によって、２次会の会場を検索する利用者に、飲食店に関する広告情報を提供する場合について説明する。なお、以下の説明は、情報端末として携帯電話端末を用いる場合について説明する。
まず、飲食店に関する情報の入手を希望する利用者は、携帯電話端末を操作して、インターネット上に開設されたＷｅｂページにアクセスする。利用者がＷｅｂページにアクセスすると、利用者の携帯電話端末の表示画面に、図５（ａ）に示すトップページ５１が表示される。このトップページ５１には、Ｗｅｂページのタイトル、例えば、「Ｓｕｇｕｎａｖｉ  ○×△□．ｊｐ」と、登録情報を入力する項目、例えば、「１．初めての方、２．既に登録されている方」が表示される。利用者が、このＷｅｂページを始めて利用する場合には、「１．初めての方」を選択し、Ｗｅｂページの説明を表示する画面が表示された後、その説明を承諾した場合には、必要事項を登録する画面が表示され、利用者は自己の名前、メールアドレス、パスワード等を入力する。このメールアドレスおよびパスワードは、検索結果を利用者に送信するために用いられる。また、名前、メールアドレスおよびパスワード等の登録事項は、前記データ記憶手段１５に設けられた利用者データテーブル（図示せず）に記録される。一方、このＷｅｂページを利用し、既に、メールアドレス等を登録している利用者は、「２．既に登録されている方」を選択して、登録しているメールアドレスもしくはパスワードを所定の欄に入力する。
【００３９】
次に、利用者が、「１．初めての方」を選択して名前、メールアドレスを登録した場合、登録完了メールが利用者の携帯電話端末に送信される。パスワードを登録した場合、登録完了画面が利用者の携帯電話端末に送信される。登録完了メールを受信もしくは、登録完了画面を受信した利用者は、その登録完了メールもしくは登録完了画面に記載されているＵＲＬ：ｈｔｔｐ：／／○×△□．ｊｐにアクセスする。また、「２．既に登録されている方」を選択してメールアドレスもしくはパスワードを入力した場合も、ＵＲＬ：ｈｔｔｐ：／／○×△□．ｊｐにアクセスする。これによって、図５（ｂ）に示すように、検索トップ画面５２が表示される。検索トップ画面５２には、例えば、「１．地域別検索、２．エリア別検索、３．その他」の検索方法を選択する画面が表示される。この検索トップ画面５２において、「１．地域別検索」を選択すると、図６（ａ）に示すように、例えば、都道府県別に地域を選択する欄、および現在地の地名、市外局番等のキーワードを入力する選択画面６１が表示され、利用者は、地域の選択またはキーワードを入力する。
【００４０】
また、「２．エリア別検索」を選択した場合には、図６（ｂ）に示すように、「１．Ａ、２．Ｂ、３．Ｃ、４．Ｄ、５．Ｅ」のエリア別に選択する選択画面６２が表示され、利用者は、エリアを選択する。
【００４１】
また、前記の検索画面では、都道府県別に検索する場合を説明したが、検索画面において選択する項目として、他の検索方法を選択できるようにしてもよい。例えば、（１）ＧＰＳによる自身の位置から近隣店の検索、（２）電話番号（市外局番のみと、完全な店の電話番号と、不完全な電話番号によるあいまい検索）、（３）都道府県−（市区町村、繁華街エリア）−最寄駅を入力する事による絞込み検索、（４）地図画像を正方形のタイル状に分割して、そのエリア内の検索、（５）過去の検索結果を保存しておく「お気に入り」の検索などの方法によって、検索を行うようにすることもできる。
【００４２】
さらに、検索画面において、地域検索またはエリア別検索に加えて、他の検索条件を入力できるようにしてもよい。例えば、料理の種別、必要席数、営業時間、予算、喫煙の有無等を入力できるようにしてもよい。この検索条件を入力することによって、利用者の希望により適合した条件で検索することが可能となる利点がある。
【００４３】
これらの検索トップ画面５１および選択画面６１，６２によって、利用者による検索条件が入力されると、この検索条件に関する情報は携帯電話端末から、インターネットを介して広告開示手段１４に受信される。検索条件に関する情報を受信した広告開示手段１４は、この検索条件に合致した広告情報を、データ記憶手段１５に記録された広告情報に関するデータから検索する。そして、広告開示手段１４は、検索条件に合致した広告情報をインターネットを介して、検索条件に関する情報を発信した携帯電話端末（メールアドレスもしくは検索結果画面）に送信する。
【００４４】
検索条件に合致した広告情報を受信した携帯電話端末の表示画面には、図７に示すように、検索結果を報告する検索結果画面７１が表示される。この検索結果画面７１に表示された「結果１」、「結果２」、「結果３」、・・・には、それぞれ第１候補、第２候補、第３候補、・・・の広告情報のグループがリンクしている。そして、利用者が、例えば、「結果１」を選択すると、図２（ａ）に示すように、第１候補として、検索条件に合致する広告情報のグループが表示される。この広告情報のグループから、利用者は、空き席数等を確認して、所望の条件に合致する飲食店を選択することができる。これによって、利用者は、所望の飲食店に関する情報を簡便に入手することが可能となり、しかも、この広告情報は、後記のとおり、広告依頼主から発信される広告情報に関するデータによって、常に、最新の情報に更新されているため、有用な情報である。特に、空き席数に関する情報は、１日の内でも飲食店に客が集中する時間帯または曜日、あるいは新年会、忘年会、歓送迎会等の宴会が多くなる季節に、二次会、三次会等の会場を探す場合に有効であり、利用者の利便性が向上する。
【００４５】
また、図２（ａ）に表示された各飲食店の広告情報の表示欄にリンクして、各飲食店の所在地、地図、店舗写真、電話番号、営業時間、お勧め料理、サービス時間、キャッチフレーズ、着信メロディー等の情報を表示する画面を表示してもよい。これらの情報は、予め、広告依頼主から提供される情報に基づいて、データ記憶手段１５に記録されている。これによって、利用者は、所望の飲食店に関してより詳細な情報を入手することができ、より的確な選択をすることができる。
【００４６】
一方、広告依頼主１，２，３・・・は、携帯電話端末を操作してインターネット（通信ネットワーク）に開設されたＷｅｂにアクセスして、携帯電話の表示画面に広告情報提供システムのＷｅｂページを表示させる。そして、図８に示すように、このＷｅｂページ画面８１に設けられた各データの入力欄に広告情報に関するデータを入力する。入力する広告情報に関するデータとしては、例えば、（１）広告依頼主の識別ＩＤ、（２）空き席数、（３）サービス料理などの特別なセールストークがあれば、そのコピー文、（４）関連する写真、あるいは（５）道順、利用交通機関の案内などを含むことができる。また、この広告情報に関するデータの入力は、前記携帯電話端末による入力に限定されず、ＰＣの電子メールによる入力、あるいは一般電話、携帯電話の音声自動応答システム、ＦＡＸのマークシート及びＯＣＲ（光学的キャラクター認識システム）による入力などのいずれの方法によっても行うことができる。
【００４７】
広告依頼主によって入力された広告情報に関するデータは、インターネットを介して、広告情報提供システム１の広告情報受付手段１１に受信される。広告情報に関するデータを受信した広告情報受付手段１１は、広告依頼主の識別ＩＤ、広告情報に関するデータの受付時間、依頼内容、課金情報等の情報を、広告情報記録手段１２に出力する。
【００４８】
広告情報受付手段１１から情報を入力された広告情報記録手段１２は、データ記憶手段１５に設けられたマスターテーブルの登録情報を参照して、広告情報に関するデータを送信した広告依頼主を特定する。そして、広告情報記録手段１２は、マスターテーブルから、広告情報の開示に要する情報を抽出して広告序列付与手段１３に出力するとともに、データ記憶手段１５に所定の情報を出力して記録させる。例えば、広告情報記録手段１２は、広告序列付与手段１３に広告情報に関するデータの受付時間、広告依頼主の識別情報、依頼内容、広告情報に関するデータの優先順位、別途契約による広告等の広告の開示序列を決定するために必要な情報を出力する。例えば、広告依頼主１，２，３，・・・・が飲食店である場合には、その飲食店の空き席数、店舗の種類、現在地から店舗までの距離、お勧めの商品、商品価格等の情報が、広告情報の開示序列を決定するために必要な情報として広告序列付与手段１３に出力される。
【００４９】
また、広告情報記録手段１２からデータ記憶手段１５に出力され、データ記憶手段１５に記録される情報は、例えば、広告情報に関するデータの受付日時、広告依頼主の識別情報、依頼内容、特別契約等に関するデータである。このデータ記憶手段１５に記録されたデータを、広告依頼主への報告、広告依頼主に広告掲載料を課金する際のデータとすることができる。
【００５０】
広告情報記録手段１２から情報を入力された広告序列付与手段１３は、その入力される情報に基づいて、広告情報の開示序列を、広告情報に付与する。この広告序列付与手段１３は、広告依頼主１，２，３，・・・・から広告情報に関するデータを広告情報受付手段１１が受け取った時系列的順序および予め定められた順序を考慮して広告情報の開示序列を決定する。これによって、最新の広告情報、または広告依頼主が希望する序列に応じて、更新された広告情報を適切な序列で開示される。
【００５１】
そして、広告開示手段１４は、前記広告序列付与手段１３によって付与された開示序列にしたがって、前記広告情報を、情報端末によって閲覧可能にインターネット（通信ネットワーク）上に開設されたＷｅｂページに開示する。これによって、Ｗｅｂページの上段から下段に向けて、更新された時刻に応じて広告情報を配列し、最新の情報を含む広告情報を常に最上段に開示される。具体的には、ある時点で、図２（ａ）に示すような開示序列で各広告依頼主の広告情報が配置されていたときに、広告情報受付手段１１が、新たに広告依頼主（ダイニングバー××）から空き席に関するデータを受け付けた場合には、広告序列付与手段１３は、広告情報の開示序列を更新して、図２（ｂ）に示すように、ダイニングバー××→飲み処○○→パブレストラン◇◇→焼肉△△苑→○○飯店の順で、広告情報依頼主（ダイニングバー××）の広告情報に関する欄が最上段に配置されるように、開示序列を更新する。これによって、Ｗｅｂページを閲覧する利用者は、常に、最新の広告情報を分かり易い形態で閲覧することができる。
【００５２】
この広告開示手段１４によって開示される情報は、前記のとおり、利用者が携帯電話端末を操作してインターネット上に開設されたＷｅｂページにアクセスしたとき、携帯電話端末の表示画面に表示される。この携帯電話端末の表示画面に表示される広告情報は、前記のとおり、広告情報受付手段１１が広告依頼主から広告情報に関するデータを受け取り、広告序列付与手段１３が広告情報の開示序列を更新する毎に、逐次、更新される。これによって、Ｗｅｂページにアクセスする利用者は、携帯電話端末３１の表示画面３２で、常に最新の広告情報を閲覧することができる。
【００５３】
以上のように、本発明の広告応報提供システムおよび広告情報提供方法によって、利用者による検索に応じて、常に最新の広告情報を提供することによって、広告依頼主は、広告を掲載することによる宣伝効果だけでなく、空き席への客の迅速な誘導による客数の増加、客席の稼働率の向上、期限付き商品の陳腐化による損失の軽減を図ることが可能となり、これは、客の獲得および囲い込み、席の稼働率の向上、商品陳腐化による損失の軽減に有効である。例えば、午後８時過ぎに、飲食店（広告依頼主）に空席が生じた場合に、閉店までにもう一回の客席の稼動を望み、また、手持ちの食材を有効に活用することを望む飲食店（広告依頼主）は、携帯電話端末を操作して、空き席数に関する情報を広告情報に関するデータとして、インターネット上に開設されたＷｅｂページを通じて広告情報提供システムに発信すれば、その空き席数に関する情報が、更新された広告情報として、Ｗｅｂ上に開示され、利用者に提供される。
【００５４】
前記の実施形態では、通信ネットワークとしてインターネットを利用し、主として、情報端末として携帯電話端末を用いる場合について、本発明の広告情報提供システムを説明したが、本発明は、この実施形態に限定されず、各種の態様で実現することができる。例えば、インターネットではなく、特定の地域に設けられたイントラネット上に開設された情報サイトに、その特定の地域内の各所に配置された情報端末を操作してアクセスして広告情報を取得できるシステムとして実現することもできる。
さらに、ビデオ、楽曲、画像データおよび文字データ配信することもできる。
【００５５】
また、本発明において、前記の広告情報提供システムは、前記の広告情報受付手段１１、広告情報記録手段１２、広告序列付与手段１３、広告開示手段１４、およびデータ記憶手段１５の各機能を果たすプログラムを搭載した単独のコンピュータ、または、各機能を果たすコンピュータを統合したシステムによって実現することができる。例えば、広告情報受付手段１１、広告情報記録手段１２、広告序列付与手段１３、広告開示手段１４およびデータ記憶手段１５は、それぞれ独立したサーバで構成し、これらの各サーバを統合した広告情報提供システムとして運用する構成とすることもできる。すなわち、広告情報受付手段１１、広告情報記録手段１２、広告序列付与手段１３、広告開示手段１４およびデータ記憶手段１５の各機能を、いわゆるエントリサーバ、登録サーバ、Ｗｅｂサーバ、配信サーバ、メールサーバ、データベースサーバ等の各サーバに分担したシステムとして構成することができる。また、一部の機能を併有するサーバを有する構成とすることもできる。
【図面の簡単な説明】
【００５６】
【図１】本発明の広告情報提供システムの概念図である。
【図２】広告情報の表示例を示す図である。
【図３】携帯電話端末の模式図である。
【図４】（ａ）はマスターテーブルの例、（ｂ）は広告マスターテーブルの例を示す模式図である。
【図５】（ａ）はトップページの例、（ｂ）は検索トップ画面の例を示す模式図である。
【図６】（ａ）は地域選択画面の例、（ｂ）はエリア別選択画面の例を示す模式図である。
【図７】検索結果の例を示す模式図である。
【図８】広告情報に関するデータの入力画面の例を示す模式図である。
【符号の説明】
【００５７】
１        広告情報提供システム
１１      広告情報受付手段
１２      広告情報記録手段
１３      広告序列付与手段
１４      広告開示手段
１５      データ記憶手段
【図１】
2007114832.tif 000003
【図２】
2007114832.tif 000004
【図３】
2007114832.tif 000005
【図４】
2007114832.tif 000006
【図５】
2007114832.tif 000007
【図６】
2007114832.tif 000008
【図７】
2007114832.tif 000009
【図８】
2007114832.tif 000010